(57)【要約】【課題】新規の部品や回路を増設することなく、リモコン装置を探索することが出来る電子機器を提供する。【解決手段】本発明に係るリモコン機能付き電子機器は  電源スイッチ３２の操作によって動作を開始する本体３と、該本体３に対してリモコン信号を送信するリモコン装置９とから構成され、本体３は、リモコン装置へロケータ信号を送信するロケータ送信部３３を具える一方、リモコン装置９は、本体３から送られてくるロケータ信号を受信するロケータ受信部９４と、ロケータ信号の受信に応じて動作する音声発生部９７とを具えている。本体３の制御部３１は、電源スイッチ３２の操作が電源投入のための第１の操作であるか、第１の操作よりも長時間に亘る第２の操作であるかを判断し、第２の操作であることが判断されたとき、ロケータ送信部３３にロケータ信号の送信を指令する。【選択図】図１
2008306245.tif 000002
【特許請求の範囲】
【請求項１】
電源スイッチの操作によって動作を開始する機器本体と、該機器本体に対してリモートコントロール信号を送信するリモートコントロール装置とから構成され、機器本体は、リモートコントロール装置へロケータ信号を送信するロケータ送信手段を具える一方、リモートコントロール装置は、機器本体から送られてくるロケータ信号を受信するロケータ受信手段と、該ロケータ受信手段によるロケータ信号の受信に応じて動作する報知手段とを具えている電子機器において、
前記機器本体は、電源スイッチの操作が電源投入のための第１の操作であるか、第１の操作よりも長時間に亘る第２の操作であるかを判断する判断手段と、該判断手段によって第２の操作であることが判断されたとき、ロケータ送信手段へロケータ信号の送信を指令する指令手段とを具えていることを特徴とするリモートコントロール機能付き電子機器。
【請求項２】
前記機器本体の指令手段は、機器本体が動作していない状態で、第１の操作が行なわれたときは機器本体の動作を開始し、第２の操作が行なわれたときは機器本体の動作を開始すると共にロケータ送信手段へロケータ信号の送信を指令する請求項１に記載のリモートコントロール機能付き電子機器。
【請求項３】
前記機器本体の指令手段は、機器本体が動作している状態で、第１の操作が行なわれたときは機器本体の動作を停止し、第２の操作が行なわれたときはロケータ送信手段へロケータ信号の送信を指令する請求項１又は請求項２に記載のリモートコントロール機能付き電子機器。
【請求項４】
前記報知手段による報知は、音声の発生、振動の発生、若しくは光の発生、或いはこれらの組合せによって行なわれる請求項１乃至請求項３の何れかに記載のリモートコントロール機能付き電子機器。
【発明の詳細な説明】
【技術分野】
【０００１】
本発明は、テレビジョン受像機、カーナビゲーション装置、オーディプレーヤ等の電子機器に関し、特にリモートコントロール装置を具えて遠隔制御の可能な電子機器に関するものである。
【背景技術】
【０００２】
従来、リモートコントロール装置を紛失した場合に該リモートコントロール装置を探索することが可能なリモートコントロール(以下、リモコンという)機能付きの電子機器が提案されている(特許文献１〜５)。
この様な電子機器においては、ユーザが機器本体を操作することにより、リモコン装置を探索するためのリモコン探索信号(ロケータ信号)が機器本体から発せられ、該ロケータ信号をリモコン装置が受信すると、該リモコン装置が音声を発することでその位置を報知する。
【０００３】
例えば図３に示すテレビジョン受像機は、テレビジョン受像機本体(８)とリモコン装置(９)から構成されており、テレビジョン受像機本体(８)には、リモコン受信アンテナ(85)とロケータ送信アンテナ(84)が配備される一方、リモコン装置(９)には、リモコン送信アンテナ(96)とロケータ受信アンテナ(93)が配備されている。
【０００４】
テレビジョン受像機本体(８)は、マイクロコンピュータから構成される制御部(81)と、リモコン受信アンテナ(85)を通じてリモコン信号を受信するリモコン受信部(86)と、ロケータ送信アンテナ(84)へロケータ信号を送信するロケータ送信部(83)と、リモコン装置(９)を探索するときに操作すべきロケータ起動スイッチ(82)とを具え、制御部(81)は、ロケータ起動スイッチ(82)の操作信号を受けて、ロケータ送信部(83)に対してロケータ信号の送信を指令する。
【０００５】
リモコン装置(９)は、マイクロコンピュータから構成される制御部(91)と、リモコン送信アンテナ(96)へリモコン信号を送信するリモコン送信部(95)と、ロケータ受信アンテナ(93)を通じてロケータ信号を受信するロケータ受信部(94)と、選局操作等を行なうためのリモコン操作キー(92)と、所定の音声を発する音声発生部(97)とを具え、ロケータ受信部(94)によってロケータ信号が受信されると、制御部(91)は音声発生部(97)に音声の発生を指令する。
【０００６】
図４は、上記テレビジョン受像機における制御動作を表わしている。
テレビジョン受像機本体側においては、先ずステップＳ１にてスイッチ入力を監視し、ステップＳ２ではスイッチ入力があったか否かを判断する。ここでノーと判断されたときはステップＳ１に戻ってスイッチ入力の監視を繰り返す。
【０００７】
ステップＳ２にてイエスと判断されたときは、ステップＳ３に移行して、入力のあったスイッチがロケータ起動スイッチであるか否かを判断する。
ここでノーと判断されたときはステップＳ５に移行して、スイッチ入力に応じた処理を実行し、ステップＳ１に戻ってスイッチ入力の監視を繰り返す。
これに対し、イエスと判断されたときはステップＳ４に移行して、ロケータ送信部に対してロケータ信号の送信を指示した後、ステップＳ１に戻る。
【０００８】
一方、リモコン装置側においては、先ずステップＳ１１にて所定の時間待機した後、ステップＳ１２にてリモコン制御部を起動し、ステップＳ１３では、ロケータ信号の受信を監視する。
続いてステップＳ１４ではロケータ信号を受信したか否かを判断し、ノーと判断されたときはステップＳ１１に戻って同じ処理を繰り返す。
【０００９】
これに対し、テレビジョン受像機本体からリモコン装置へロケータ信号が送信されて、ステップＳ１４にてイエスと判断されたときは、ステップＳ１５に移行して音声発生部に動作を指示する。
次に、ステップＳ１６で音声終了まで待機した後、ステップＳ１１へ戻る。
【００１０】
上記テレビジョン受像機においては、リモコン装置(９)を紛失したとき、ユーザがロケータ起動スイッチ(82)を操作すれば、テレビジョン受像機本体(８)からリモコン装置(９)へロケータ信号が送信されて、該ロケータ信号を受信したリモコン装置(９)の音声発生部(97)が動作することにより、リモコン装置(９)の位置がユーザに報知される。
【００１１】
【特許文献１】特開平６−１６５２６７号公報［H04Q9/00］
【特許文献２】実開平６−５２２９３号公報［H04Q9/00］
【特許文献３】特開２００１−６９５７９号公報［H04Q9/00］
【特許文献４】特開２００２−３２０２７９号公報［H04Q9/00］
【特許文献５】特開２００４−３２８５８９号公報［H04Q9/00］
【発明の開示】
【発明が解決しようとする課題】
【００１２】
しかしながら、リモコン装置の探索が可能な従来の電子機器においては、テレビジョン受像機本体(８)にロケータ起動スイッチ(82)を配備する必要があるため、部品点数が増加するばかりでなく、ロケータ起動スイッチ(82)のオン／オフを検知するための回路を増設する必要があり、これによって製品コストの上昇を招く問題がある。
【００１３】
そこで本発明の目的は、新規の部品や回路を増設することなく、リモコン装置を探索することが出来る電子機器を提供することである。
【課題を解決するための手段】
【００１４】
本発明に係るリモコン機能付き電子機器は、電源スイッチの操作によって動作を開始する機器本体と、該機器本体に対してリモコン信号を送信するリモコン装置とから構成され、機器本体は、リモコン装置へロケータ信号を送信するロケータ送信手段を具える一方、リモコン装置は、機器本体から送られてくるロケータ信号を受信するロケータ受信手段と、該ロケータ受信手段によるロケータ信号の受信に応じて動作する報知手段とを具えている。
又、前記機器本体は、電源スイッチの操作が電源投入のための第１の操作であるか、第１の操作よりも長時間に亘る第２の操作であるかを判断する判断手段と、該判断手段によって第２の操作であることが判断されたとき、ロケータ送信手段へロケータ信号の送信を指令する指令手段とを具えている。
【００１５】
上記本発明のリモコン機能付き電子機器によれば、機器本体の電源スイッチを短い期間に限って押下する第１の操作により、機器本体に電源が投入される。
又、第１の操作よりも長時間に亘って電源スイッチを押下する第２の操作により、ロケータ信号の送信が指令される。これによってリモコン装置の報知手段が動作し、音声の発生、振動の発生、若しくは光の発生、或いはこれらの組合せによって、リモコン装置の位置がユーザに報知される。
【００１６】
具体的構成において、前記機器本体の指令手段は、機器本体が動作していない状態で、第１の操作が行なわれたときは機器本体の動作を開始し、第２の操作が行なわれたときは機器本体の動作を開始すると共にロケータ送信手段へロケータ信号の送信を指令する。
これによって、機器本体が動作していない状態でのリモコン装置の探索が可能となる。
【００１７】
更に具体的な構成において、前記機器本体の指令手段は、機器本体が動作している状態で、第１の操作が行なわれたときは機器本体の動作を停止し、第２の操作が行なわれたときはロケータ送信手段へロケータ信号の送信を指令する。
これによって、機器本体が動作している状態でのリモコン装置の探索が可能となる。
【発明の効果】
【００１８】
本発明に係るリモコン機能付き電子機器によれば、電源スイッチをロケータ起動スイッチとして兼用することが出来るので、新規の部品や回路を増設する必要がなく、構成の簡易化ひいては製品コストの低減を図ることが出来る。
【発明を実施するための最良の形態】
【００１９】
以下、本発明をテレビジョン受像機に実施した形態につき、図面に沿って具体的に説明する。
本発明に係るテレビジョン受像機は、図１に示す如くテレビジョン受像機本体(３)とリモコン装置(９)から構成され、テレビジョン受像機本体(３)には、赤外線のリモコン信号を受信するリモコン受信アンテナ(35)と、電波のロケータ信号を送信するロケータ送信アンテナ(34)が配備される一方、リモコン装置(９)には、赤外線のリモコン信号を送信するリモコン送信アンテナ(96)と、電波のロケータ信号を受信するロケータ受信アンテナ(93)とが配備されている。
【００２０】
テレビジョン受像機本体(３)は、マイクロコンピュータから構成される制御部(31)と、リモコン受信アンテナ(35)を通じてリモコン信号を受信するリモコン受信部(36)と、ロケータ送信アンテナ(34)へロケータ信号を送信するロケータ送信部(33)と、電源導入時に操作すべき電源スイッチ(32)とを具えている。
【００２１】
制御部(31)は、機器本体が動作していない状態で、電源スイッチ(32)を短い期間に亘って押下する第１の操作が行なわれたときは機器本体の動作を開始する。これに対し、電源スイッチ(32)を第１の操作よりも長い期間に亘って押下する第２の操作が行なわれたときは機器本体の動作を開始すると共に、ロケータ送信部(33)にロケータ信号の送信を指令する。
【００２２】
又、制御部(31)は、機器本体が動作している状態で、第１の操作が行なわれたときは機器本体の動作を停止し、第２の操作が行なわれたときはロケータ送信手段へロケータ信号の送信を指令する。
【００２３】
リモコン装置(９)は、マイクロコンピュータから構成される制御部(91)と、リモコン送信アンテナ(96)へリモコン信号を送信するリモコン送信部(95)と、ロケータ受信アンテナ(93)を通じてロケータ信号を受信するロケータ受信部(94)と、選局操作等を行なうためのリモコン操作キー(92)と、所定の音声を発する音声発生部(97)とを具え、ロケータ受信部(94)によってロケータ信号が受信されると、制御部(91)は音声発生部(97)に音声の発生を指令する。
【００２４】
図２は、上記テレビジョン受像機における制御動作を表わしている。
テレビジョン受像機本体側においては、先ずステップＳ２１にてスイッチ入力を監視し、スイッチ入力があったとき、ステップＳ２２にて、入力のあったスイッチが電源スイッチであるか否かを判断する。ここでノーと判断されたときはステップＳ２３に移行して、入力されたスイッチに対応した機能を実行した後、ステップＳ２１に戻って同じ処理を繰り返す。
【００２５】
電源スイッチが操作されてステップＳ２２にてイエスと判断されたときは、ステップＳ２４に移行し、テレビジョン受像機本体の制御部が起動済みであるか否か(電源投入済みであるか否か)を判断する。ここでノーと判断されたときはステップＳ２５にてテレビジョン受像機本体の制御部を起動した後、ステップＳ２１に戻って同じ処理を繰り返す。
【００２６】
これに対し、ステップＳ２４にてイエスと判断されたときは、ステップＳ２６にて、電源スイッチが一定時間以上、連続的に押下されているか否かを判断する。ここで、ノーと判断されたときは、ステップＳ２７に移行して、テレビジョン受像機本体の制御部の動作を停止する(電源オフ)。
ステップＳ２６にてイエスと判断されたときは、ステップＳ２８に移行して、ロケータ送信部へロケータ信号の送信を指示した後、ステップＳ２１に戻る。
【００２７】
一方、リモコン装置側においては、先ずステップＳ１１にて所定の時間待機した後、ステップＳ１２にてリモコン制御部を起動し、ステップＳ１３では、ロケータ信号の受信を監視する。
続いてステップＳ１４ではロケータ信号を受信したか否かを判断し、ノーと判断されたときはステップＳ１１に戻って同じ処理を繰り返す。
【００２８】
これに対し、テレビジョン受像機本体からリモコン装置へロケータ信号が送信されて、ステップＳ１４にてイエスと判断されたときは、ステップＳ１５に移行して音声発生部に動作を指示する。
次に、ステップＳ１６で音声終了まで待機した後、ステップＳ１１へ戻る。
【００２９】
上記テレビジョン受像機においては、テレビジョン受像機本体(３)に電源が投入されている状態で、電源スイッチ(32)を一定時間以上、連続的に押下すれば、テレビジョン受像機本体(３)からリモコン装置(９)へロケータ信号が送信されて、該ロケータ信号を受信したリモコン装置(９)の音声発生部(97)が動作することにより、リモコン装置(９)の位置がユーザに報知される。
又、テレビジョン受像機本体(３)に電源が投入されている状態で、電源スイッチ(32)を一定時間以上、連続的に押下すれば、先ず、テレビジョン受像機本体(３)に電源が投入された後、テレビジョン受像機本体(３)からリモコン装置(９)へロケータ信号が送信されて、該ロケータ信号を受信したリモコン装置(９)の音声発生部(97)が動作することにより、リモコン装置(９)の位置がユーザに報知される。
【００３０】
本発明に係るテレビジョン受像機によれば、従来からテレビジョン受像機本体(３)に配備されている電源スイッチ(32)を利用して、リモコン装置(９)の探索を行なうことが出来るので、ロケータ起動スイッチの配備は不要であり、これによって部品点数の削減と回路構成の簡易化を図ることが出来る。
又、ユーザがリモコン装置(９)の探索を行なうのは、通常は電源投入時であることから、電源スイッチ(32)をロケータ起動スイッチとして兼用する構成により、ユーザの操作が簡略化され、ユーザの利便性が向上する。
【００３１】
尚、本発明の各部構成は上記実施の形態に限らず、特許請求の範囲に記載の技術的範囲内で種々の変形が可能である。例えば、ロケータ信号受信時のリモコン装置(９)による報知は、音声の発生に限らず、振動の発生や光の発生によって行なうことも可能である。
又、本発明はテレビジョン受像機に限らず、カーナビゲーション装置、オーディオプレーヤ等、種々の可搬型のリモートコントロール機能付き電子機器に実施することが可能である。
【図面の簡単な説明】
【００３２】
【図１】本発明に係るテレビジョン受像機の構成を示すブロック図である。
【図２】本発明に係るテレビジョン受像機の制御動作を表わすフローチャートである。
【図３】従来のテレビジョン受像機の構成を示すブロック図である。
【図４】従来のテレビジョン受像機の制御動作を表わすフローチャートである。
【符号の説明】
【００３３】
(３)  テレビジョン受像機本体
(31)  制御部
(32)  電源スイッチ
(34)  ロケータ送信アンテナ
(35)  リモコン受信アンテナ
(９)  リモコン装置
(91)  制御部
(93)  ロケータ受信アンテナ
(96)  リモコン送信アンテナ
(97)  音声発生部
【図１】
2008306245.tif 000003
【図２】
2008306245.tif 000004
【図３】
2008306245.tif 000005
【図４】
2008306245.tif 000006